(57)【特許請求の範囲】
【請求項１】
丸棒を平面視でＵ字状に折り曲げた形状を成し、このＵ字状の両端部がフロントヘッドの外周面に回動自在に装着されているスチールリテーナを備えたさく岩機において、フロントヘッドの外周上に、スチールリテーナをロッド保持位置に固定するための一対の固定溝が内面に形成されたリテーナ固定リングを、固定溝がスチールリテーナと係合するリテーナ固定位置から固定溝がスチールリテーナから離脱するリテーナ開放位置まで移動可能に装着したことを特徴とするスチールリテーナのはね上がり防止装置。
【請求項２】
リテーナ固定リングをリテーナ固定位置側に付勢する付勢手段を設けたことを特徴とする請求項１記載のスチールリテーナのはね上がり防止装置。
【発明の詳細な説明】
【０００１】
【発明の属する技術分野】
本発明は、ロッドをさく岩機から抜け出さないように保持するためのスチールリテーナのはね上がり防止装置に関する。
【０００２】
【従来の技術】
従来、小型のさく岩機にはロッドをさく岩機から抜け出さないように保持するためのスチールリテーナが設けられている。図１０乃至図１２に示すように、さく岩機１のスチールリテーナ２は、基端部２Ｂがさく岩機１のフロントヘッド３の側面に回動可能に取付けられ、その先端部２Ｔは正面視で下方の開いた逆Ｕ字状に形成されている。フロントヘッド３の側面には、スチールリテーナ２を図示のロッド保持位置に固定しておくための固定溝５が設けられており、スチールリテーナ２はそのばね作用によって固定溝５に係合して固定される。さく岩機１のフロントヘッド３に挿着されるロッド４は、スチールリテーナ２のＵ字状の先端部２Ｔの内幅より大径のつば部４Ｆを具えている。
【０００３】
スチールリテーナ２がロッド保持位置にあるとき、ロッド４は逆Ｕ字状の先端部２Ｔの中心を通りるようになり、これによってさく岩機１から抜け出してしまわないように保持される。スチールリテーナ２を図１１上時計方向に回動させると、ロッド４が着脱できるようになる。
【０００４】
【発明が解決しようとする課題】
このスチールリテーナ２は、固定溝５によってロッド保持位置に固定されるようになっているが、さく孔作業時にはさく岩機１は激しく振動するので、固定溝５の縁が摩耗したり、スチールリテーナ２のばね作用が不足したとき、スチールリテーナ２が固定溝５から離脱してはね上がり、ロッド４がフロントヘッド３から抜け出して脱落し、作業に支障を来すおそれがある。
【０００５】
この発明は、さく岩機のスチールリテーナにおけるかかる問題を解決するものであって、さく孔作業時にスチールリテーナをロッド保持位置に確実に固定し、ロッドの抜け出しを防止することのできるスチールリテーナのはね上がり防止装置を提供することを目的とする。
【０００６】
【課題を解決するための手段】
この発明のスチールリテーナのはね上がり防止装置では、上記課題を解決するため、丸棒を平面視でＵ字状に折り曲げた形状を成し、このＵ字状の両端部がフロントヘッドの外周面に回動自在に装着されているスチールリテーナを備えたさく岩機において、フロントヘッドの外周上に、スチールリテーナをロッド保持位置に固定するための一対の固定溝が内面に形成されたリテーナ固定リングを、固定溝がスチールリテーナと係合するリテーナ固定位置から固定溝がスチールリテーナから離脱するリテーナ開放位置まで移動可能に装着している。
【０００７】
さく岩機を用いてさく孔作業を行う場合には、さく岩機のフロントヘッドにロッドを挿着した後、スチールリテーナをロッド保持位置まで回動させ、リテーナ固定リングをリテーナ固定位置まで移動させる。リテーナ固定位置ではリテーナ固定リングの固定溝がスチールリテーナと係合しているので、さく孔作業中スチールリテーナのはね上がりは防止され、ロッドがフロントヘッドから抜け出して脱落するおそれはない。
【０００８】
ロッドを着脱するときには、リテーナ固定リングをリテーナ開放位置まで移動させる。リテーナ開放位置では、リテーナ固定リングの固定溝がスチールリテーナから離脱するので、スチールリテーナはロッドの着脱可能な位置まで回動させることができるようになる。
【０００９】
リテーナ固定リングをリテーナ固定位置側に付勢する付勢手段を設けると、横向きや上向きのさく孔を行っているときも、リテーナ固定リングを確実にリテーナ固定位置に保持しておくことができる。
【００１０】
【発明の実施の形態】
図１は本発明の実施の一形態を示すスチールリテーナのはね上がり防止装置の平面図、図２はスチールリテーナのはね上がり防止装置の側面図、図３は図１のＡ−Ａ線断面図、図４はスチールリテーナの回動状態の説明図、図５は固定溝を複数対設けた例を示すリテーナ固定リングの正面図、図６は固定溝を内面の全周に亙って設けた例を示すリテーナ固定リングの正面図、図７は図６のＣ−Ｃ線断面図、図８は付勢手段としてばねを設けたスチールリテーナのはね上がり防止装置の側面図、図９は付勢手段としてゴム管を設けたスチールリテーナのはね上がり防止装置の側面図である。
【００１１】
ここで、さく岩機１は公知構造の小型のさく岩機であり、さく岩機１に内蔵されたピストンが往復動してフロントヘッド３に装着されたロッド４に打撃を与え、ビット１４に打撃力を伝達して岩盤にさく孔する。
【００１２】
さく岩機１のスチールリテーナ２は、基端部２Ｂがさく岩機１のフロントヘッド３の側面に回動可能に取付けられ、その先端部２Ｔは正面視で下方の開いた逆Ｕ字状に形成されている。さく岩機１のフロントヘッド３に挿着されるロッド４は、スチールリテーナ２の逆Ｕ字状の先端部２Ｔの内幅より大径のつば部４Ｆを具えている。
【００１３】
スチールリテーナ２がロッド保持位置にあるとき、ロッド４は逆Ｕ字状の先端部２Ｔの中心を通るようになり、この先端部２Ｔによってさく岩機１から抜け出してしまわないように保持される。
【００１４】
フロントヘッド３の側面には、スチールリテーナ２をロッド保持位置に固定しておくための１対の固定溝５が設けられており、スチールリテーナ２はそのばね作用によって固定溝５に係合して固定される。
【００１５】
フロントヘッド３の外周上には、円筒状のリテーナ固定リング６が前後（図１上左右）摺動可能に装着されている。図１のリテーナ固定リング６は、内面にスチールリテーナ２をロッド保持位置に固定するための１対の固定溝７が形成されており、図１、図２のように前方のリテーナ固定位置にあるとき固定溝７とスチールリテーナ２とが係合し、スチールリテーナ２のはね上がりを防止する。
【００１６】
リテーナ固定リング６が図４のように後方のリテーナ開放位置まで移動すると固定溝７がスチールリテーナ２から離脱するので、スチールリテーナ２を図４に破線で示すロッド保持位置から、時計方向に実線で示すロッド開放位置まで回動可能となり、ロッド４が着脱できるようになる。
【００１７】
さく岩機１を用いてさく孔作業を行う場合には、さく岩機１のフロントヘッド３にロッド４を挿着した後、スチールリテーナ２をロッド保持位置まで回動させ、リテーナ固定リング６をリテーナ固定位置まで移動させてからさく孔を開始する。所定長のさく孔が終わるとさく岩機１を後退させてロッド４を孔内から引き出す。このときリテーナ固定リング６がリテーナ固定位置にあれば、固定溝７とスチールリテーナ２とが係合しているので、スチールリテーナ２のはね上がりは防止される。従って、ロッド４がフロントヘッド３から抜け出して脱落するおそれはない。
【００１８】
ロッド４を着脱するときには、リテーナ固定リング６をリテーナ開放位置まで移動させる。リテーナ開放位置では、リテーナ固定リング６の固定溝７がスチールリテーナ２から離脱するので、スチールリテーナ２はロッド４の着脱可能な開放位置まで容易に回動させることができる。
【００１９】
なお、リテーナ固定リング６の固定溝７は、図５に示すように複数対設けておくと、摩耗した場合にスチールリテーナ２と係合する固定溝７を変更して使用することができる。
【００２０】
また、リテーナ固定リング６の固定溝７は、図６、図７に示すように、リテーナ固定リング６の内面全周に亙って環状に形成してもスチールリテーナ２のはね上がりを押さえることが可能である。
【００２１】
上述の通り、スチールリテーナ２のはね上がりを防止するには、さく孔作業中、リテーナ固定リング６をリテーナ固定位置に保持しておくことが必要である。下向きにさく孔する場合には、リテーナ固定リング６は自重でリテーナ固定位置に保持されるが、横向きや上向きにさく孔する場合には、リテーナ固定リング６がリテーナ開放位置まで移動する可能性がある。
【００２２】
このような場合には、図８に示すように、フロントヘッド３をさく岩機１の本体側と接続するスルーボルトナット８とリテーナ固定リング６との間に、ばね９を装着する。ばね９はリテーナ固定リング６をリテーナ固定位置側に付勢するので、横向きや上向きのさく孔を行っているときも、リテーナ固定リング６を確実にリテーナ固定位置に保持しておくことができる。
【００２３】
ばね９に代えて、図９のように、割り１１の入ったゴム管１０をスルーボルト８とリテーナ固定リング６との間に装着してもよい。
【００２４】
【発明の効果】
以上説明したように、本発明のスチールリテーナのはね上がり防止装置は、さく孔作業時にスチールリテーナのはね上がりを防止してロッド保持位置に確実に固定しロッドが抜け出さないようにするので、安全に作業することができる。
【００２５】
また、リテーナ固定リングをリテーナ固定位置側に付勢する付勢手段を設けると、横向きや上向きのさく孔を行っているときも、リテーナ固定リングを確実にリテーナ固定位置に保持しておくことができる。
【図面の簡単な説明】
【図１】本発明の実施の一形態を示すスチールリテーナのはね上がり防止装置の平面図である。
【図２】スチールリテーナのはね上がり防止装置の側面図である。
【図３】図１のＡ−Ａ線断面図である。
【図４】スチールリテーナの回動状態の説明図である。
【図５】固定溝を複数対設けた例を示すリテーナ固定リングの正面図である。
【図６】固定溝を内面の全周に亙って設けた例を示すリテーナ固定リングの正面図である。
【図７】図６のＣ−Ｃ線断面図である。
【図８】付勢手段としてばねを設けたスチールリテーナのはね上がり防止装置の側面図である。
【図９】付勢手段としてゴム管を設けたスチールリテーナのはね上がり防止装置の側面図である。
【図１０】従来のスチールリテーナの平面図である。
【図１１】従来のスチールリテーナの側面図である。
【図１２】図１０のＢ−Ｂ線断面図である。
【符号の説明】
１      さく岩機
２      スチールリテーナ
２Ｂ    基端部
２Ｔ    先端部
３      フロントヘッド
４      ロッド
４Ｆ    つば部
５      固定溝
６      リテーナ固定リング
７      固定溝
８      スルーボルト
９      ばね
１０    ゴム管
１１    割り
【図１】
0004070044.tif 000002
【図２】
0004070044.tif 000003
【図３】
0004070044.tif 000004
【図４】
0004070044.tif 000005
【図５】
0004070044.tif 000006
【図６】
0004070044.tif 000007
【図７】
0004070044.tif 000008
【図８】
0004070044.tif 000009
【図９】
0004070044.tif 000010
【図１０】
0004070044.tif 000011
【図１１】
0004070044.tif 000012
【図１２】
0004070044.tif 000013